(57)【要約】【課題】  上サッシをより確実に上移動しないように保持できるように工夫した鏡の取付け具を提供する。【解決手段】  鏡取付け壁面１に、下サッシ２を固定するとともに上サッシ１３を上下移動可能に取付けて、下サッシ２に鏡６の下端部を嵌め込んだ後に、鏡６の上端部に上サッシ１３を下移動させながら嵌め込むようにした鏡の取付け具において、上記上サッシ１３の壁面取付け部１３ａに、上下方向の長穴部１３ｂと、前方に突出する突起部１３ｅとが設けられるとともに、上記上サッシ１３の壁面取付け部１３ａを上記鏡取付け壁面１に上下移動可能に押えながら上記長穴部１３ｂを挿通するねじ１５で上記鏡取付け壁面１に固定される係合片１４が設けられて、この係合片１４には、上記突起部１３ｅを係止して、上サッシ１３を下移動位置に係止する係止部１４ｃが形成されている。【選択図】  図４
2005177118.tif 000002
【特許請求の範囲】
【請求項１】
鏡取付け壁面に、下サッシを固定するとともに上サッシを上下移動可能に取付けて、下サッシに鏡の下端部を嵌め込んだ後に、鏡の上端部に上サッシを下移動させながら嵌め込むようにした鏡の取付け具において、
上記上サッシの壁面取付け部に、上下方向の長穴部と、前方に突出する突起部とが設けられるとともに、上記上サッシの壁面取付け部を上記鏡取付け壁面に上下移動可能に押えながら上記長穴部を挿通するねじで上記鏡取付け壁面に固定される係合片が設けられて、この係合片には、上記突起部を係止して、上サッシを下移動位置に係止する係止部が形成されていることを特徴とする鏡の取付け具。
【請求項２】
上記突起部は、上サッシの壁面取付け部の一部を前方に切り起こすことにより形成されている請求項１記載の鏡の取付け具。
【請求項３】
上記長穴部の両側に突起部が形成されている請求項１または２記載の鏡の取付け具。
【請求項４】
上記係合片のねじ挿通穴に、後方に突出するバーリング部が形成され、このバーリング部が上記長穴部に嵌め込まれている請求項１〜３のいずれか１項に記載の鏡の取付け具。
【発明の詳細な説明】
【技術分野】
【０００１】
本発明は、浴室等に最適な鏡の取付け具に関する。
【背景技術】
【０００２】
従来、図６（ａ）に示すように、浴槽等の鏡取付け壁面１の下部に下サッシ２をねじ４で固定するとともに、この鏡取付け壁面１の上部に上サッシ３の長穴部３ａをねじ５で上下移動可能に取付けて、図６（ｂ）のように、下サッシ２に鏡６の下端部を嵌め込んだ後に、鏡６の上端部に上サッシ３を下移動させながら嵌め込むようにした鏡の取付け具がある（例えば、特許文献１参照）。なお、８ａはゴム材、８ｂはスポンジ材である。
【０００３】
そして、上サッシ３は、ばね片７を鏡６の裏面に押し付ける押し付け力のみで、上移動しないように保持するようになっている。
【特許文献１】特開２００２−１０８９０号公報
【発明の開示】
【発明が解決しようとする課題】
【０００４】
しかしながら、上サッシ３をより確実に上移動しないように保持したいという要望があった。
【０００５】
本発明は、上記要望に応えるためになされたもので、上サッシをより確実に上移動しないように保持できるように工夫した鏡の取付け具を提供することを課題とするものである。
【課題を解決するための手段】
【０００６】
上記課題を解決するために、本発明は、鏡取付け壁面に、下サッシを固定するとともに上サッシを上下移動可能に取付けて、下サッシに鏡の下端部を嵌め込んだ後に、鏡の上端部に上サッシを下移動させながら嵌め込むようにした鏡の取付け具において、
上記上サッシの壁面取付け部に、上下方向の長穴部と、前方に突出する突起部とが設けられるとともに、上記上サッシの壁面取付け部を上記鏡取付け壁面に上下移動可能に押えながら上記長穴部を挿通するねじで上記鏡取付け壁面に固定される係合片が設けられて、この係合片には、上記突起部を係止して、上サッシを下移動位置に係止する係止部が形成されていることを特徴とする鏡の取付け具を提供するものである。
【０００７】
請求項２のように、上記突起部は、上サッシの壁面取付け部の一部を前方に切り起こすことにより形成されている構成とすることが好ましい。
【０００８】
請求項３のように、上記長穴部の両側に突起部が形成されている構成とすることが好ましい。
【０００９】
請求項４のように、上記係合片のねじ挿通穴に、後方に突出するバーリング部が形成され、このバーリング部が上記長穴部に嵌め込まれている構成とすることが好ましい。
【発明の効果】
【００１０】
本発明によれば、上サッシの壁面取付け部を鏡取付け壁面に当てがって、長穴部を挿通するねじで係合片を取付け壁面に固定することにより、係合片で上サッシが鏡取付け壁面に上下移動可能に保持されるようになる。
【００１１】
そして、下サッシに鏡の下端部を嵌め込んだ後に、鏡の上端部に上サッシを下移動させながら嵌め込むと、突起部が係合片の係止部を乗り越えて、係止部で突起部が係止されることにより、上サッシが下移動位置に係止されるようになる。
【００１２】
このように、係合片の係止部で突起部を係止することで、上サッシがより確実に上移動しないように保持できるようになる。
【００１３】
なお、係合片の係止部は、突起部を係止して、上サッシを上移動位置に係止することもできるので、上サッシを下移動させる前には、上サッシを上移動位置に仮に係止しておくこともできる。
【００１４】
請求項２によれば、上サッシの壁面取付け部を前方に切り起こして突起部を形成すれば、部品点数が少なくなる。
【００１５】
請求項３によれば、長穴部の両側に突起部を形成すれば、係合片の両側に係止部を形成することと相俟って、係合片がねじを中心として不用意に回ることが防止できるとともに、上サッシの係止がより確実となる。
【００１６】
請求項４によれば、係合片のねじ挿通穴に形成したバーリング部を長穴部に嵌め込めば、上サッシの上下移動がスムーズになるとともに、バーリング部がスペーサとなって、ねじで係合片を締め込み過ぎるおそれが無くなる。
【発明を実施するための最良の形態】
【００１７】
以下、本発明を実施するための最良の形態について、図面を参照しながら詳細に説明する。なお、従来技術と同一構成作用の箇所は同一番号を付して詳細な説明は省略する。
【００１８】
図１（ａ）（ｂ）は上サッシ１３の正面図と側面図、（ｃ）（ｄ）は下サッシ２の正面図と側面図である。なお、上サッシ１３は、後述する下移動位置の状態である。
【００１９】
断面が略Ｕ字状の下サッシ２は、長さ方向に一定の間隔で壁面取付け部２ａに形成されたねじ用穴２ｂによって、浴槽等の鏡取付け壁面１の下部にねじ４（図６参照）で固定されている。
【００２０】
断面が略逆Ｕ字状の上サッシ１３には、長さ方向に一定の間隔で壁面取付け部１３ａに上下方向の長穴部１３ｂが形成されている。
【００２１】
そして、図２に詳細に示すように、壁面取付け部１３ａの長穴部１３ｂの両側には、壁面取付け部１３ａの下端から上方に切り込まれたスリット１３ｃによって、前方に僅かの傾斜をつけて切り起こされる切り起こし片部１３ｄがそれぞれ形成され、この各切り起こし片部１３ｄには、側面視で略台形状で前方に突出する突起部１３ｅが形成されている。
【００２２】
一方、図３に詳細に示すような係合片１４が設けられ、この係合片１４は、長穴部１３ｂが位置する壁面取付け部１３ａに前方から当てがわれて、ねじ挿通穴１４ａから後方に突出させたバーリング部１４ｂを長穴部１３ｂに嵌め込んだ状態で、ねじ挿通穴１４ａによって、上記鏡取付け壁面１の上部にねじ１５（図４参照）で固定されている。
【００２３】
これにより、上サッシ１３は、鏡取付け壁面１の上部に長穴部１３ｂがバーリング部１４ｂでガイドされながら上下移動可能に取付けられるようになる。
【００２４】
上記係合片１４の両側縁には、左右方向にそれぞれ突出する上係止部１４ｃと下係止部１４ｄとが形成されているとともに、下縁には、下方に突出して前方に屈曲させた鏡押え部１４ｅが形成されている。
【００２５】
上記のような構成であれば、下サッシ２は、浴槽等の鏡取付け壁面１の下部にねじ４で固定するとともに、上サッシ１３は、鏡取付け壁面１の上部に当てがい、バーリング部１４ｂを長穴部１３ｂに嵌め込んで係合片１４を壁面取付け部１３ａに当てがった状態で、ねじ挿通穴１４ａからねじ１５で固定する。これにより、係合片１４で上サッシ１３が鏡取付け壁面１に上下移動可能に保持されるようになる。
【００２６】
そして、鏡６の取付け前に、上サッシ１３を長穴部１３ｂの上限付近まで上移動させると、図４に示すように、係合片１４の上係止部１４ｃの上部に上サッシ１３の突起部１３ｅの下部が係止されるので、上サッシ１３が下移動しないように上移動位置に仮係止されるようになる。
【００２７】
このとき、係合片１４の下係止部１４ｄは、切り起こし片部１３ｄの傾斜に接触して、前方に押されるので、係合片１４のがたつきが防止される。
【００２８】
そして、図６（ｂ）（ｃ）を参照すれば、下サッシ２に鏡６の下端部を嵌め込んだ後に、上サッシ１３を下移動させると、図５に示すように、無理押しで切り起こし片１３ｄが撓むことで、係合片１４の上係止部１４ｃによる突起部１３ｅの係止が外れて、突起部１３ｅが係合片１４の上係止部１４ｃを乗り上げながら下方に移動して、鏡６の上端部に上サッシ１３が嵌め込まれるようになる。
【００２９】
この上サッシ１３が鏡６の上端部に完全に嵌め込まれた時に、突起部１３ｅが係合片１４の上係止部１４ｃを乗り越えて、上係止部１４ｃで突起部１３ｅの上部が係止されるので、上サッシ１３が下移動位置に係止されるようになる。この突起部１３ｅが上係止部１４ｃを乗り越えた時に、作業者は上サッシ１３が係合片１４で係止されたというクリック感を感じることができる。
【００３０】
このとき、係合片１４の下係止部１４ｄは、突起部１３ｅに乗り上げて、前方に押されるので、係合片１４のがたつきが防止される。
【００３１】
また、鏡６の裏面に押し付けられる係合片１４の鏡押え部１４ｅで鏡６のがたつきが防止される。
【００３２】
このように、係合片１４の上係止部１４ｃで上サッシ１３の突起部１３ｅの上部を係止することで、上サッシ１３がより確実に上移動しないように保持できるようになる。
【００３３】
また、係合片１４の上係止部１４ｃは、突起部１３ｅの下部を係止して、上サッシ１３を上移動位置に係止することもできるので、上サッシ１３を下移動させる前には、上サッシを上移動位置に仮に係止しておくことができる。
【００３４】
さらに、上サッシ１３の壁面取付け部１３ａを前方に切り起こした切り起こし片部１３ｄに突起部１３ｅを形成しているから、上サッシ１３に突起部１３ｅを一体形成できるので、部品点数が少なくなる。なお、突起部１３ｅを形成した切り起こし片部１３ｄを別体として、壁面取付け部１３ａに取付けることも可能である。
【００３５】
また、長穴部１３ｂの両側に設けた切り起こし片部１３ｄに突起部１３ｅを形成しているので、係合片１４の両側に上下係止部１４ｃ，１４ｄを形成することと相俟って、係合片１４がねじ１５を中心として不用意に回ることが防止できるとともに、上サッシ１３の係止がより確実となる。なお、長穴部１３ｂの片側に設けた切り起こし片部１３ｄに突起部１３ｅを形成することも可能である。
【００３６】
さらに、係合片１４のねじ挿通穴１４ａのバーリング部１４ｂを長穴部１３ａに嵌め込めば、上サッシ１３の上下移動がスムーズになるとともに、バーリング部１４ｂがスペーサとなって、ねじ１５で係合片１４を締め込み過ぎるおそれが無くなる。
【図面の簡単な説明】
【００３７】
【図１】（ａ）は上サッシの正面図、（ｂ）は（ａ）の側面図、（ｃ）は下サッシの正面図、（ｄ）は（ｃ）の側面図である。
【図２】上サッシであり、（ａ）は要部拡大正面図、（ｂ）は（ａ）のＡ−Ａ線断面図、（ｃ）は（ａ）のＢ−Ｂ線断面図である。
【図３】係合片であり、（ａ）は正面図、（ｂ）は側面図である。
【図４】上移動位置の上サッシであり、（ａ）は要部拡大正面図、（ｂ）は（ａ）のＡ−Ａ線断面図、（ｃ）は（ａ）のＢ−Ｂ線断面図である。
【図５】下移動位置の上サッシであり、（ａ）は要部拡大正面図、（ｂ）は（ａ）のＡ−Ａ線断面図、（ｃ）は（ａ）のＢ−Ｂ線断面図である。
【図６】従来の鏡の取付け具であり、（ａ）は上サッシと下サッシの斜視図、（ｂ）は上サッシの上移動位置の側面断面図、（ｃ）は上サッシの下移動位置の側面断面図である。
【符号の説明】
【００３８】
１      鏡取付け壁面
２      下サッシ
６      鏡
１３    上サッシ
１３ａ  壁面取付け部
１３ｂ  長穴部
１３ｄ  切り起こし片部
１３ｅ  突起部
１４    係合片
１４ｂ  バーリング部
１４ｃ  上係止部
１５    ねじ
【図１】
2005177118.tif 000003
【図２】
2005177118.tif 000004
【図３】
2005177118.tif 000005
【図４】
2005177118.tif 000006
【図５】
2005177118.tif 000007
【図６】
2005177118.tif 000008